(57)【要約】【課題】ＩＣタグが貼付された名刺を用いて、ＩＣタグに記憶されているＵＲＬ情報に基づく情報取得を可能とした情報取得システム、その方法及びそのプログラムを提供する。【解決手段】本発明は、名刺２０に貼付されたＩＣタグ２１に対するリーダ機能を搭載した名刺受取者Ａが保有する情報通信端末１０と、ＩＣタグ２１が貼付された名刺２０と、ＩＣタグ２１に記憶されているＵＲＬ情報に対応するコンテンツを配信可能なコンテンツ管理サーバ３０と、を有して構成される。情報通信端末１０は、リーダ機能によりＩＣタグ２１に記憶されているＵＲＬ情報を読み出してコンテンツ管理サーバ３０にアクセスし、当ＵＲＬ該情報に対応するコンテンツを取得して表示するので、容易にそのＷｅｂページの内容を確認することができる【選択図】        図１
2004334343.tif 000002
【特許請求の範囲】
【請求項１】
配布物に装着される記録媒体と、前記記録媒体と通信可能な情報通信端末と、前記記録媒体に記憶されている情報に対応するコンテンツを配信可能なサーバと、から構成され、
前記情報通信端末は、
前記記録媒体に記憶されている前記情報に基づいて前記サーバにアクセスし、前記情報に対応するコンテンツを取得することを特徴とする情報取得システム。
【請求項２】
さらに、前記記録媒体への書き込み機能を搭載した他の情報通信端末を有し、
前記他の情報通信端末は、
前記サーバへアクセスしてコンテンツの作成／更新を行うと共に、該コンテンツへアクセスするための前記情報を前記記録媒体に書き込むことを特徴とする請求項１記載の情報取得システム。
【請求項３】
ＩＣタグが貼付された名刺と、前記名刺に貼付されたＩＣタグに対するリーダ機能を搭載した第１の情報通信端末と、前記ＩＣタグに記憶されている情報に対応するコンテンツを配信可能なサーバと、を有して構成され、
前記第１の情報通信端末は、
前記リーダ機能により前記ＩＣタグに記憶されているアクセス情報を読み出して前記サーバにアクセスし、当該アクセス情報に対応するコンテンツを取得して表示することを特徴とする情報取得システム。
【請求項４】
さらに、前記名刺の配布者が所有するリーダ／ライタ機能を搭載した第２の情報通信端末を有して構成され、
前記第２の情報通信端末は、
前記サーバにアクセスしてコンテンツの作成／更新を行うことを特徴とする請求項３記載の情報取得システム。
【請求項５】
前記第２の情報通信端末は、
前記作成／更新したコンテンツへのアクセス情報を、前記リーダ／ライタ機能により前記ＩＣタグへ書き込むことを特徴とする請求項４記載の情報取得システム。
【請求項６】
前記第２の情報通信端末は、
前記コンテンツの情報公開レベルを前記名刺の受取者毎に任意に設定変更可能であることを特徴とする請求項４又は５記載の情報取得システム。
【請求項７】
前記コンテンツは、
前記名刺の配布者の個人情報を提供するものであることを特徴とする請求項１から６の何れか１項に記載の情報取得システム。
【請求項８】
配布物に装着される記録媒体と、前記記録媒体と通信可能な情報通信端末と、前記記録媒体に記憶されている情報に対応するコンテンツを配信可能なサーバと、から構成される情報取得システムの方法であって、
前記情報通信端末は、
前記記録媒体に記憶されている前記情報を読み出す読出工程と、
前記読出工程により読み出した前記情報に基づいて前記サーバにアクセスするアクセス工程と、
前記アクセス工程によりアクセスした前記サーバから前記に対応するコンテンツを取得する取得工程と、
を有することを特徴とする情報取得システムの方法。
【請求項９】
前記情報取得システムは、前記記録媒体への書き込み機能を搭載した他の情報通信端末を有し、
前記他の情報通信端末は、
前記サーバへアクセスしてコンテンツの作成／更新を行うコンテンツ作成／更新工程と、
前記コンテンツ作成／更新工程により作成された前記コンテンツへアクセスするための前記情報を前記記録媒体へ書き込む書き込み工程と、
を有することを特徴とする請求項８記載の情報取得システムの方法。
【請求項１０】
ＩＣタグが貼付された名刺と、前記名刺に貼付されたＩＣタグに対するリーダ機能を搭載した第１の情報通信端末と、前記名刺の配布者が所有するリーダ／ライタ機能を搭載した第２の情報通信端末と、前記ＩＣタグに記憶されている情報に対応するコンテンツを配信可能なサーバと、から構成される情報取得システムの方法であって、
前記第１の情報通信端末が、
前記リーダ機能により前記ＩＣタグに記憶されている前記アクセス情報を読み出すアクセス情報読出工程と、
前記サーバにアクセスし、前記読み出したアクセス情報に対応するコンテンツを取得する取得工程と、
前記取得したコンテンツを表示する表示工程と、を有し、
前記第２の情報通信端末が、
前記サーバにアクセスしてコンテンツの作成／更新を行うコンテンツ作成／更新工程と、
前記作成／更新したコンテンツへのアクセス情報をリーダ／ライタ機能により前記ＩＣタグへ書き込む書込工程と、
を有することを特徴とする情報取得システムの方法。
【請求項１１】
前記第２の情報通信端末は、
前記コンテンツの情報公開レベルを前記名刺の受取者毎に任意に設定変更する公開レベル変更工程を有することを特徴とする請求項１０記載の情報取得システムの方法。
【請求項１２】
前記コンテンツは、
前記名刺の配布者の個人情報を提供するものであることを特徴とする請求項１０又は１１記載の情報取得システムの方法。
【請求項１３】
配布物に装着される記録媒体と、前記記録媒体と通信可能な情報通信端末と、前記記録媒体に記憶されている情報に対応するコンテンツを配信可能なサーバと、から構成される情報取得システムのプログラムであって、
前記情報通信端末に、
前記記録媒体に記憶されている前記情報を読み出す読出処理と、
前記読出処理により読み出した前記情報に基づいて前記サーバにアクセスするアクセス処理と、
前記アクセス処理によりアクセスした前記サーバから前記に対応するコンテンツを取得する取得処理と、
を実行させることを特徴とする情報取得システムのプログラム。
【請求項１４】
前記情報取得システムは、前記記録媒体への書き込み機能を搭載した他の情報通信端末を有し、
前記他の情報通信端末に、
前記サーバへアクセスしてコンテンツの作成／更新を行うコンテンツ作成／更新処理と、
前記コンテンツ作成／更新工程により作成された前記コンテンツへアクセスするための前記情報を前記記録媒体へ書き込む書き込み処理と、
を実行させることを特徴とする請求項１３記載の情報取得システムのプログラム。
【請求項１５】
ＩＣタグが貼付された名刺と、前記名刺に貼付されたＩＣタグに対するリーダ機能を搭載した第１の情報通信端末と、前記名刺の配布者が所有するリーダ／ライタ機能を搭載した第２の情報通信端末と、前記ＩＣタグに記憶されている情報に対応するコンテンツを配信可能なサーバと、から構成される情報取得システムのプログラムであって、
前記第１の情報通信端末に、
前記リーダ機能により前記ＩＣタグに記憶されている前記アクセス情報を読み出すＵＲＬ情報読出処理と、
前記サーバにアクセスし、前記読み出したアクセス情報に対応するコンテンツを取得するコンテンツ取得処理と、
前記取得したコンテンツを表示する表示処理と、を実行させ、
前記第２の情報通信端末に、
前記サーバにアクセスしてコンテンツの作成／更新を行うコンテンツ作成／更新処理と、
前記作成／更新されたコンテンツへのアクセス情報を前記リーダ／ライタ機能により前記ＩＣタグへ書き込む書込処理と、
を実行させることを特徴とする情報取得システムのプログラム。
【請求項１６】
前記第２の情報通信端末に、
前記コンテンツの情報公開レベルを前記名刺の受取者毎に任意に設定変更する公開レベル変更処理を実行させることを特徴とする請求項１５記載の情報取得システムのプログラム。
【請求項１７】
前記コンテンツは、
前記名刺の配布者の個人情報を提供するものであることを特徴とする請求項１５又は１６記載の情報取得システムのプログラム。
【発明の詳細な説明】
【０００１】
【発明の属する技術分野】
本発明は、情報取得システム、その方法及びそのプログラムに関し、特にＩＣタグを貼付した名刺を用いての様々なビジネスシーンにおける利用付加価値を向上する情報取得システム、その方法及びそのプログラムである。
【０００２】
【従来の技術】
通常、ビジネスの始まりは名刺交換であり、ビジネスの基本とされている。ところが、実際に配布される名刺の多くは、肩書き、名前、住所、電話番号、メールアドレス、といった情報が限られた紙片のスペース（約９ｃｍ×約５ｃｍ）に書き込まれているのみであり、特に興味を引くものでなく、後にファイルされて利用価値のないものとさえなっているという現状がある。
【０００３】
【発明が解決しようとする課題】
最近では、印刷技術の発達により、カラー印刷の名刺や顔写真入りの名刺等のように、従来のものよりも一風変わった嗜好の名刺が世に出回るようになってきているという現実はあるが、未だ従来の名刺機能を脱却できないという問題点があった。
【０００４】
また、そのデザイン性を鑑みると、限られたスペースが故に表示可能な情報量が制限されてしまうという問題点と共に、一旦名刺に印刷された情報は書き換えが即座に出来ないという問題点があった。
【０００５】
さらに、昨今のデジタルデータ化の流れを汲んで、電子メールに自分の住所や連絡先などの個人情報を添付する形で送信相手に知らせる電子名刺という技術も出てきているが、名刺交換の慣習は未だ健在であり、即ビジネスシーンに馴染むというものではないという問題点があった。
【０００６】
最近では、ＲＦＩＤ（Ｒａｄｉｏ  Ｆｒｅｑｕｅｎｃｙ  Ｉｄｅｎｔｉｆｉｃａｔｉｏｎ）  技術が注目されている。このＲＦＩＤとは、電波を用いて非接触方式によりデータキャリアを認識する固体認識技術であり、この技術を用いることにより名刺の限られた紙面スペースを大幅に上回るデータ量での情報提供を可能とする。
【０００７】
なお、通常の名刺と上述したＲＦＩＤ技術とが融合した特許文献としては以下のようなものが知られている。
【０００８】
【特許文献１】
特開２００２−１８３６９３号（図１参照）
【０００９】
しかしながら、この特許文献１は、情報を発信する必要が生じた際に、相手の宛先の電話番号の読み取り誤りを防止し、簡易なシステム構成でダイヤル操作の誤りがなく、正確に発信できることを目的としたものであり、単に名刺に記載されている情報を記憶するメモリを具備するに過ぎないものである。
【００１０】
本発明は、上記問題点に鑑みて成されたものであり、ＩＣタグが貼り付けられた名刺を配布された名刺受取人所有のリーダ／ライタ機能を搭載した情報通信端末により、上記ＩＣタグに記憶されているＵＲＬ情報を読み取り、当該ＵＲＬ情報に対応したコンテンツへ自動的にアクセスして、情報を取得することが可能な情報取得システム、その方法及びそのプログラムを提供することを目的とする。
【００１１】
【課題を解決するための手段】
前記課題を解決するために、請求項１記載の発明は、配布物に装着される記録媒体と、前記記録媒体と通信可能な情報通信端末と、前記記録媒体に記憶されている情報に対応するコンテンツを配信可能なサーバと、から構成され、前記情報通信端末は、前記記録媒体に記憶されている前記情報に基づいて前記サーバにアクセスし、前記情報に対応するコンテンツを取得することを特徴とする。
【００１２】
請求項２記載の発明は、請求項１記載の発明において、さらに、前記記録媒体への書き込み機能を搭載した他の情報通信端末を有し、前記他の情報通信端末は、前記サーバへアクセスしてコンテンツの作成／更新を行うと共に、該コンテンツへアクセスするための前記情報を前記記録媒体に書き込むことを特徴とする。
【００１３】
請求項３記載の発明は、ＩＣタグが貼付された名刺と、前記名刺に貼付されたＩＣタグに対するリーダ機能を搭載した第１の情報通信端末と、前記ＩＣタグに記憶されている情報に対応するコンテンツを配信可能なサーバと、を有して構成され、前記第１の情報通信端末は、前記リーダ機能により前記ＩＣタグに記憶されているアクセス情報を読み出して前記サーバにアクセスし、当該アクセス情報に対応するコンテンツを取得して表示することを特徴とする。
【００１４】
請求項４記載の発明は、請求項３記載の発明において、さらに、前記名刺の配布者が所有するリーダ／ライタ機能を搭載した第２の情報通信端末を有して構成され、前記第２の情報通信端末は、前記サーバにアクセスしてコンテンツの作成／更新を行うことを特徴とする。
【００１５】
請求項５記載の発明は、請求項４記載の発明において、前記第２の情報通信端末は、前記作成／更新したコンテンツへのアクセス情報を、前記リーダ／ライタ機能により前記ＩＣタグへ書き込むことを特徴とする。
【００１６】
請求項６記載の発明は、請求項４又は５記載の発明において、前記第２の情報通信端末は、前記コンテンツの情報公開レベルを前記名刺の受取者毎に任意に設定変更可能であることを特徴とする。
【００１７】
請求項７記載の発明は、請求項１から６の何れか１項に記載の発明において、前記コンテンツは、前記名刺の配布者の個人情報を提供するものであることを特徴とする。
【００１８】
請求項８記載の発明は、配布物に装着される記録媒体と、前記記録媒体と通信可能な情報通信端末と、前記記録媒体に記憶されている情報に対応するコンテンツを配信可能なサーバと、から構成される情報取得システムの方法であって、前記情報通信端末は、前記記録媒体に記憶されている前記情報を読み出す読出工程と、前記読出工程により読み出した前記情報に基づいて前記サーバにアクセスするアクセス工程と、前記アクセス工程によりアクセスした前記サーバから前記に対応するコンテンツを取得する取得工程と、を有することを特徴とする。
【００１９】
請求項９記載の発明は、請求項８記載の発明において、前記情報取得システムは、前記記録媒体への書き込み機能を搭載した他の情報通信端末を有し、前記他の情報通信端末は、前記サーバへアクセスしてコンテンツの作成／更新を行うコンテンツ作成／更新工程と、前記コンテンツ作成／更新工程により作成された前記コンテンツへアクセスするための前記情報を前記記録媒体へ書き込む書き込み工程と、を有することを特徴とする。
【００２０】
請求項１０記載の発明は、ＩＣタグが貼付された名刺と、前記名刺に貼付されたＩＣタグに対するリーダ機能を搭載した第１の情報通信端末と、前記名刺の配布者が所有するリーダ／ライタ機能を搭載した第２の情報通信端末と、前記ＩＣタグに記憶されている情報に対応するコンテンツを配信可能なサーバと、から構成される情報取得システムの方法であって、前記第１の情報通信端末が、前記リーダ機能により前記ＩＣタグに記憶されている前記アクセス情報を読み出すアクセス情報読出工程と、前記サーバにアクセスし、前記読み出したアクセス情報に対応するコンテンツを取得する取得工程と、前記取得したコンテンツを表示する表示工程と、を有し、前記第２の情報通信端末が、前記サーバにアクセスしてコンテンツの作成／更新を行うコンテンツ作成／更新工程と、  前記作成／更新したコンテンツへのアクセス情報をリーダ／ライタ機能により前記ＩＣタグへ書き込む書込工程と、を有することを特徴とする。
【００２１】
請求項１１記載の発明は、請求項１０記載の発明において、前記第２の情報通信端末は、前記コンテンツの情報公開レベルを前記名刺の受取者毎に任意に設定変更する公開レベル変更工程を有することを特徴とする。
【００２２】
請求項１２記載の発明は、請求項１０又は１１記載の発明において、前記コンテンツは、前記名刺の配布者の個人情報を提供するものであることを特徴とする。
【００２３】
請求項１３記載の発明は、配布物に装着される記録媒体と、前記記録媒体と通信可能な情報通信端末と、前記記録媒体に記憶されている情報に対応するコンテンツを配信可能なサーバと、から構成される情報取得システムのプログラムであって、前記情報通信端末に、前記記録媒体に記憶されている前記情報を読み出す読出処理と、前記読出処理により読み出した前記情報に基づいて前記サーバにアクセスするアクセス処理と、前記アクセス処理によりアクセスした前記サーバから前記情報に対応するコンテンツを取得する取得処理と、を実行させることを特徴とする。
【００２４】
請求項１４記載の発明は、請求項１３記載の発明において、前記情報取得システムは、前記記録媒体への書き込み機能を搭載した他の情報通信端末を有し、前記他の情報通信端末に、前記サーバへアクセスしてコンテンツの作成／更新を行うコンテンツ作成／更新処理と、前記コンテンツ作成／更新工程により作成された前記コンテンツへアクセスするための前記情報を前記記録媒体へ書き込む書き込み処理と、を実行させることを特徴とする。
【００２５】
請求項１５記載の発明は、ＩＣタグが貼付された名刺と、前記名刺に貼付されたＩＣタグに対するリーダ機能を搭載した第１の情報通信端末と、前記名刺の配布者が所有するリーダ／ライタ機能を搭載した第２の情報通信端末と、前記ＩＣタグに記憶されている情報に対応するコンテンツを配信可能なサーバと、から構成される情報取得システムのプログラムであって、前記第１の情報通信端末に、前記リーダ機能により前記ＩＣタグに記憶されている前記アクセス情報を読み出すＵＲＬ情報読出処理と、前記サーバにアクセスし、前記読み出したアクセス情報に対応するコンテンツを取得するコンテンツ取得処理と、前記取得したＷｅｂページを表示する表示処理と、を実行させ、前記第２の情報通信端末に、前記サーバにアクセスしてコンテンツの作成／更新を行うコンテンツ作成／更新処理と、前記作成／更新されたコンテンツへのアクセス情報を前記リーダ／ライタ機能により前記ＩＣタグへ書き込む書込処理と、を実行させることを特徴とする。
【００２６】
請求項１６記載の発明は、請求項１５記載の発明において、前記第２の情報通信端末に、前記コンテンツの情報公開レベルを前記名刺の受取者毎に任意に設定変更する公開レベル変更処理を実行させることを特徴とする。
【００２７】
請求項１７記載の発明は、請求項１５又は１６記載の発明において、前記コンテンツは、前記名刺の配布者の個人情報を提供するものであることを特徴とする。
【００２８】
【発明の実施の形態】
以下、添付図面を参照しながら本発明の実施形態である情報取得システム、その方法及びそのプログラムを詳細に説明する。図１から図９に、本発明に係る情報取得システム、その方法及びそのプログラムの実施の形態を示す。
【００２９】
＜第１の実施の形態＞
図１は、本発明の第１の実施形態である情報取得システムの概略を示すシステム構成図である。図１において、本発明の第１の実施形態である情報取得システムは、情報通信端末１０と、非接触方式のＩＣタグが貼付された名刺２０と、コンテンツ管理サーバ３０と、を有して構成される。なお、情報通信端末１０とコンテンツ管理サーバ３０とは、インターネット網１００を介して通信可能な構成となっている。
【００３０】
情報通信端末１０は、通常の送受信機能を備える携帯電話機（ＰＨＳ、ＰＤＡを含む）であり、表示部や操作部を備えている。この情報通信端末１０は、後述の名刺２０が配布されたユーザ（以下、名刺受取者と称す）が保有する端末であり、インターネット網１００を介してシステムサーバ３０にアクセス可能な環境下にある。
【００３１】
さらに、この情報通信端末１０は、名刺２０に貼付されたＩＣタグ２１に記憶される情報の読み取り（リーダ）を行うリーダ機能を搭載している。
なお、リーダ機能のみならず、ライタ機能も併せ持ってよく、また、これらの機能は、情報通信端末１０に内蔵される構成でも、外付けされる構成としてもよい。
【００３２】
名刺２０は、ビジネスシーンで用いられる通常の名刺であり、会社名や所属部署名、役職名、氏名、住所、電話番号、ＦＡＸ番号、電子メールアドレスなどが印刷されている。この名刺２０の一部には、ＩＣタグ（ＩＣシールとも称す）２１が貼り付けられている。
【００３３】
ＩＣタグ２１は、特定の周波数帯域の無線電波を受信することにより動作するものであり、予め製造段階で重複することのない識別番号（シリアル番号）が付与されており、記録媒体としての機能を具備する。このＩＣタグ２１は、ＣＰＵ２１１と、ＲＯＭ２１２と、ＲＡＭ２１３と、ＥＥＰＲＯＭ２１４と、コプロ（コプロセッサ）２１５と、Ｉ／Ｆ（インタフェース）２１６と、がＩＣチップとして形成され、その周縁を囲むようにアンテナ（ループアンテナ）２１７が配設されて構成される。
なお、ＩＣタグ２１の形状は、特に限定されるものでなく、上述したような構成を備えるものであればよい。
【００３４】
コンテンツ管理サーバ３０は、ネットワーク配信用のコンテンツを管理するサーバであり、情報通信端末１とインターネット網１００を介して通信を行う。なお、このコンテンツ管理サーバ３０は、複数のコンテンツデータを管理すると共に、各コンテンツへのアクセス履歴やアクセス頻度などの情報を管理するためのデータベースを具備している。また、アクセス履歴やアクセス頻度に基づいて、閲覧者の一覧データを自動的に生成し、保管している。
【００３５】
図２は、本発明の第１の実施形態である情報取得システムの動作例を示すシーケンスチャートである。まず、名刺２０を受け取った名刺取得者Ａは、当該名刺２０に貼付されているＩＣタグ２１上に自身が保有する情報通信端末１０（ＩＣタグ読取モードの動作指示有り）をかざすと、リーダ機能によりＩＣタグ２１に対してＵＲＬ情報の読み出し要求を送信する（ステップＳ１）。
【００３６】
ＩＣタグ２１は、情報通信端末１０からのＵＲＬ情報の読み出し要求に対して、記憶されているＵＲＬ情報を送信する（ステップＳ２）。
【００３７】
情報通信端末１０は、アプリケーションプログラムを自動的に起動し（ステップＳ３）、ＩＣタグ２１から取得したＵＲＬ情報に基づいてコンテンツ管理サーバ３０へインターネット網１００を介してアクセスする（ステップＳ４）。
なお、アプリケーションプログラムは、予め情報通信端末１０が搭載していても、システム利用時にコンテンツ管理サーバ３０からダウンロードするようにしてもよい。
【００３８】
コンテンツ管理サーバ３０は、情報通信端末１０からのアクセスに対し、送信されたＵＲＬ情報に対応するコンテンツ（Ｗｅｂページ）を送信する（ステップＳ５）。
【００３９】
情報通信端末１０は、コンテンツ管理サーバ３０から送信されたＷｅｂページを表示する（ステップＳ６）。
【００４０】
本発明の第１の実施形態によれば、名刺受取者Ａが所有する情報通信端末により、受け取った名刺に貼付されているＩＣタグの情報を読み取るだけで、当該ＩＣタグに予め記憶されているＵＲＬ情報に対応するコンテンツ（Ｗｅｂページ）を取得することができ、容易にその内容を確認することができる。
【００４１】
＜第２の実施の形態＞
図３は、本発明の第２の実施形態である情報取得システムの概略を示すシステム構成図である。図３において、本発明の第２の実施形態である情報取得システムは、名刺受取者Ａが所有する情報通信端末１０と、非接触方式のＩＣタグが貼付された名刺２０と、コンテンツ管理サーバ３０と、名刺配布者Ｂが所有する情報通信端末４０と、を有して構成される。なお、情報通信端末１０と情報通信端末４０とコンテンツ管理サーバ３０とは、インターネット網１００を介して通信可能な構成となっている。
【００４２】
本発明の第２の実施形態は、名刺配布者Ｂが個人のホームページ（Ｗｅｂページ）を立ち上げると共に、その内容を随時更新することが可能なものである。なお、上述した第１の実施形態と同一構成要素に関しては、同一符号を付してその説明を省略する。
【００４３】
情報通信端末４０は、通常の送受信機能を備える携帯電話機（ＰＨＳ、ＰＤＡを含む）であり、表示部や操作部を備えている。この情報通信端末４０は、名刺２０の配布者（名刺配布者Ｂ）が保有する端末であり、インターネット網１００を介してシステムサーバ３０にアクセス可能な環境下にある。
【００４４】
さらに、この情報通信端末４０は、名刺２０に貼付されたＩＣタグ２１に記憶される情報の読み取り（リーダ）及び当該ＩＣタグ２１への情報の書き込み（ライタ）を行うリーダ／ライタ機能を搭載している。なお、リーダ／ライタ機能は、上述した情報通信端末１０と同様に、内蔵型としても外付け型としてもよく、また、同時に複数のＩＣタグ２１への書き込みも可能である。
【００４５】
図４は、本発明の第２の実施形態において、個人情報のホームページ作成からＩＣタグへのＵＲＬ情報の書き込みの動作例を示すシーケンスチャートである。
【００４６】
まず、名刺配布者Ｂが所有する情報通信端末４０は、コンテンツ管理サーバ３０に対してインターネット網１００を介してアクセスし、システム利用に関する専用のアプリケーションプログラムのダウンロード要求を送信する（ステップＳ１１）。
【００４７】
コンテンツ管理サーバ３０は、情報通信端末４０からのダウンロード要求に対して、所定のシステム利用登録手続きを行った後、会員ＩＤと個人ＵＲＬを送信する（ステップＳ１２）。
【００４８】
情報通信端末４０は、コンテンツ管理サーバ３０から会員ＩＤ及び個人ＵＲＬを送信されると、名刺配布者Ｂ個人のホームページ（Ｗｅｂページ）を立ち上げるため、ホームページの情報登録処理を行う（ステップＳ１３）。
【００４９】
図５は、ホームページの情報登録に用いられる情報の一例を示す図である。個人で立ち上げるホームページとしては、個人用のプライベートページと会社用のビジネスページとがあるが、必ずしも１つに限る必要はなく、１人が複数のホームページを登録することも可能である。図５に示す情報では、□が必須入力項目として定められ、■は任意の入力項目としているが、これらは何れも選択的に指定することが可能である。
【００５０】
なお、これらの情報は、一定の入力フォームが予めコンテンツ管理サーバ３０により提供されているので、情報登録側となる名刺配布者Ｂは、図６に示すような情報通信端末４０の操作部を用いて簡単な入力処理を行うのみである。
【００５１】
ステップＳ１３において、上述したようなホームページ情報を送信されたコンテンツ管理サーバ３０は、ホームページ作成用のプログラムを自動起動し、名刺配布者Ｂのホームページを自動生成後（ステップＳ１４）、ホームページの登録完了を情報通信端末４０に通知する（ステップＳ１５）。
なお、登録が完了したホームページの情報は、情報通信端末４０のメモリに記録保管され、何時でも確認することができる。
【００５２】
情報通信端末４０は、コンテンツ管理サーバ３０からホームページの登録完了通知を受信すると、名刺配布者ＢによりＩＣタグへの書き込みモードが起動され（ステップＳ１６）、リーダ／ライタ機能により近隣に配置されたＩＣタグ２１に対して会員ＩＤ及び上記立ち上げたホームページのＵＲＬ情報の書き込み処理を行う（ステップＳ１７）。
【００５３】
ＩＣタグ２１は、情報通信端末４０による書き込み処理が完了すると、書き込み完了通知を送信する（ステップＳ１８）。
【００５４】
情報通信端末４０は、ＩＣタグ２１から送信される書き込み完了通知を確認することにより、会員ＩＤ及びＵＲＬ情報がＩＣタグ２１に確実に書き込まれたことを検証することができる。
【００５５】
なお、ホームページ更新時には、情報通信端末４０からコンテンツ管理サーバ３０にアクセスして、氏名や会員ＩＤ、ＵＲＬ情報などを送信し、図７に示すような選択画面から修正項目を選択後、所定の修正フォームに修正事項を入力して送信する。コンテンツ管理サーバ３０側では、修正された内容により自動的に最新のデータへとアップデータされるので、簡単に更新することができる。
【００５６】
本発明の第２の実施形態によれば、名刺配布者Ｂの会員ＩＤ及び当該名刺配布者Ｂにより立ち上げられたホームページのＵＲＬ情報が書き込まれたＩＣタグの貼付された名刺を受け取った名刺受取者Ａは、上述した第１の実施形態の動作例と同様に情報通信端末１０を用いてコンテンツ管理サーバ３０へアクセスし、名刺配布者Ｂのホームページの情報を容易に確認することができる。
なお、このようなサービスは、名刺配布者Ｂがコンテンツ管理サーバ３０の管理者に対して月額利用料金を支払うことで利用することができる。
【００５７】
＜第３の実施形態＞
本発明の第３の実施形態は、コンテンツ管理サーバ３０のデータベース内に保管されている閲覧者一覧に基づいて、名刺配布者Ｂの個人情報ホームページ（プライベートデータ）における情報公開レベルを任意に設定変更するものである。
【００５８】
図８は、情報公開レベルを３段階で設定した場合の具体例を示す図である。図８に示すように、プライベートデータにおいては、個人情報、即ち秘密を公開する場としても利用される可能があるので、簡単にプライバシーを侵害されてしまうという危険性がある。
【００５９】
そこで、本発明の第３の実施形態では、対人関係を以下の３つのレベルに分類して、情報公開レベルを名刺配布者が情報通信端末から任意に設定変更することができるような仕組みとしている。
情報公開レベル１（□）      初対面レベル
情報公開レベル２（○）      友達レベル
情報公開レベル３（◎）      彼氏、彼女、親友、家族レベル
【００６０】
なお、一旦設定した情報公開レベルは、適宜設定変更可能であり、関係の深い浅いにより閲覧者毎に設定することができる。また、一切個人情報を公開したくない場合、あるいは、掲示板への書き込みが不適切である場合には、情報通信端末からコンテンツ管理サーバにアクセスし、特定の閲覧者からのアクセスを拒否したり、閲覧者（掲示板への書き込み者）を削除したりすることも可能である。
【００６１】
また、ビジネスデータの場合には、基本的に公開されても問題のない情報なので特に情報公開レベルを設定する必要はないが、任意に行ってもよく、掲示板ページへの不適切な書き込みなどを行う閲覧者は、上述の方法により削除することが可能である。
【００６２】
図９は、アクセス拒否／公開レベル設定の画面例を示す図である。図９（ａ）には、データベースに保管されている閲覧者一覧表が示されており、この画面上で「削除（アクセス拒否）」、「レベル変更」といった設定を変更することができる。この設定により削除された場合、削除又はレベル変更された閲覧者からのアクセス時に、図９（ｂ）に示すような削除報告画面、又は、図９（ｃ）に示すようなレベル変更通知画面が表示される。
【００６３】
本発明の第３の実施形態によれば、個人情報の公開レベルを閲覧者毎に任意に設定変更することができるので、初対面や信頼関係の構築されていない人物に対しての公開レベルを低く設定することにより、プライバシーの侵害を未然に防止することができる。
【００６４】
なお、上述した各実施形態は本発明の好適な実施形態であり、本発明の主旨を逸脱しない範囲内において種々変形して実施することが可能であり、ＩＣタグを用いずにＵＲＬ情報を名刺に印刷しておくといった方式でもよい。
【００６５】
また、本システムの利用登録を行った会員に対して、コンテンツ管理サーバ側で独自に運営しているＷｅｂページ上で会員同士の相性占いなどのサービス、データベースで管理している閲覧者一覧のデータに基づく住所録作成サービス、さらには閲覧者一覧から任意に指定したメールアドレスへの一斉通知サービス、といった付加サービスを適宜設けることも可能である。
【００６６】
さらに、本発明は、プライベートシーンでもビジネスシーンでも利用することができるサービスであり、一般的に名刺と称されるビジネスカードに限らず、宣伝広告用のパンフレットなどに予め開設したホームページのＵＲＬ情報を記憶したＩＣタグを貼付して配布するといったことも可能である。
【００６７】
【発明の効果】
以上の説明より明らかなように、本発明によれば、従来の名刺の機能を脱却した新たな付加価値サービスを提供することにより、以下のような効果を奏することができる。
【００６８】
本発明によれば、名刺受取者が所有する情報通信端末により、受け取った名刺に貼付されているＩＣタグの情報を読み取るだけで、当該ＩＣタグに予め記憶されているＵＲＬ情報に対応するＷｅｂページ情報を取得することができ、容易にその内容を確認することができる。
【００６９】
また、本発明によれば、名刺配布者のホームページのＵＲＬ情報が書き込まれたＩＣタグが貼付された名刺を受け取った名刺受取者は、情報通信端末を用いてコンテンツ管理サーバへアクセスし、名刺配布者のホームページの情報を容易に確認することができると共に、名刺配布者はホームページの内容を自身が所有する情報通信端末から容易に更新することができる。
【００７０】
さらに、本発明によれば、名刺配布者により個人情報の公開レベルを閲覧者毎に任意に設定変更することができるので、初対面や信頼関係の構築されていない人物に対しての公開レベルを低く設定することにより、プライバシーの侵害を未然に防止することができる。
【図面の簡単な説明】
【図１】本発明の第１の実施形態である情報取得システムの概略を示すシステム構成図である。
【図２】本発明の第１の実施形態である情報取得システムの動作例を示すシーケンスチャートである
【図３】本発明の第２の実施形態である情報取得システムの概略を示すシステム構成図である。
【図４】本発明の第２の実施形態である情報取得システムの動作例を示すシーケンスチャートである。
【図５】ホームページの情報登録に用いられる情報の一例を示す図である。
【図６】ホームページの情報登録画面の一例を示す図である。
【図７】ホームページ更新時における修正事項の選択画面の一例を示す図である。
【図８】情報公開レベルを３段階で設定した場合の具体例を示す図である。
【図９】アクセス拒否／公開レベル設定の画面例を示す図である。
【符号の説明】
１０  情報通信端末
２０  名刺
２１  ＩＣタグ
３０  コンテンツ管理サーバ
４０  情報通信端末
１００  インターネット網
【図１】
2004334343.tif 000003
【図２】
2004334343.tif 000004
【図３】
2004334343.tif 000005
【図４】
2004334343.tif 000006
【図５】
2004334343.tif 000007
【図６】
2004334343.tif 000008
【図７】
2004334343.tif 000009
【図８】
2004334343.tif 000010
【図９】
2004334343.tif 000011
【手続補正書】
【提出日】平成16年1月9日(2004.1.9)
【手続補正１】
【補正対象書類名】明細書
【補正対象項目名】全文
【補正方法】変更
【補正の内容】
【特許請求の範囲】
【請求項１】ＵＲＬ情報が記憶されたＩＣタグを貼付した名刺と、前記ＩＣタグに対するリーダ機能を搭載した第１の情報通信端末と、前記ＩＣタグに記憶されているＵＲＬ情報に対応するコンテンツを配信可能なサーバと、前記ＩＣタグに対するリーダ／ライタ機能を搭載した前記名刺の配布者が所有する第２の情報通信端末と、を有して構成され、
前記第１の情報通信端末は、
前記リーダ機能により前記ＩＣタグに記憶されている前記ＵＲＬ情報を読み出して前記サーバにアクセスし、当該ＵＲＬ情報に対応するコンテンツを取得して表示する機能を具備し、
前記第２の情報通信端末は、
前記サーバにアクセスして前記コンテンツの作成／更新を行う機能と、
前記作成／更新したコンテンツへアクセスするためのＵＲＬ情報を、前記リーダ／ライタ機能により前記ＩＣタグへ書き込む機能と、
前記コンテンツの情報公開レベルを前記名刺の受取者毎に任意に設定変更する機能と、
を具備することを特徴とする情報取得システム。
【請求項２】前記コンテンツは、
前記名刺の配布者の個人情報を提供するものであることを特徴とする請求項１に記載の情報取得システム。
【請求項３】ＵＲＬ情報が記憶されたＩＣタグを貼付した名刺と、前記ＩＣタグに対するリーダ機能を搭載した第１の情報通信端末と、前記ＩＣタグに記憶されているＵＲＬ情報に対応するコンテンツを配信可能なサーバと、前記ＩＣタグに対するリーダ／ライタ機能を搭載した前記名刺の配布者が所有する第２の情報通信端末と、から構成される情報取得システムの方法であって、
前記第２の情報通信端末が、
前記サーバにアクセスしてコンテンツの作成／更新を行うコンテンツ作成／更新工程と、
前記作成／更新したコンテンツへアクセスするためのＵＲＬ情報をリーダ／ライタ機能により前記ＩＣタグへ書き込む書込工程と、
前記コンテンツの情報公開レベルを前記名刺の受取者毎に任意に設定変更する公開レベル変更工程と、を有し、
前記第１の情報通信端末が、
前記リーダ機能により前記ＩＣタグに記憶されているＵＲＬ情報を読み出すＵＲＬ情報読出工程と、
前記サーバにアクセスし、前記読み出したＵＲＬ情報に対応するコンテンツを取得する取得工程と、
前記取得したコンテンツを表示する表示工程と、
を有することを特徴とする情報取得システムの方法。
【請求項４】前記コンテンツは、
前記名刺の配布者の個人情報を提供するものであることを特徴とする請求項３記載の情報取得システムの方法。
【請求項５】ＵＲＬ情報が記憶されたＩＣタグを貼付した名刺と、前記ＩＣタグに対するリーダ機能を搭載した第１の情報通信端末と、前記ＩＣタグに記憶されているＵＲＬ情報に対応するコンテンツを配信可能なサーバと、前記名刺の配布者が所有する前記ＩＣタグに対するリーダ／ライタ機能を搭載した第２の情報通信端末と、から構成される情報取得システムのプログラムであって、
前記第２の情報通信端末に、
前記サーバにアクセスしてコンテンツの作成／更新を行うコンテンツ作成／更新処理と、
前記作成／更新したコンテンツへアクセスするためのＵＲＬ情報をリーダ／ライタ機能により前記ＩＣタグへ書き込む書込処理と、
前記コンテンツの情報公開レベルを前記名刺の受取者毎に任意に設定変更する公開レベル変更処理と、を実行させ、
前記第１の情報通信端末に、
前記リーダ機能により前記ＩＣタグに記憶されているＵＲＬ情報を読み出すＵＲＬ情報読出処理と、
前記サーバにアクセスし、前記読み出したＵＲＬ情報に対応するコンテンツを取得する取得処理と、
前記取得したコンテンツを表示する表示処理と、
を実行させることを特徴とする情報取得システムのプログラム。
【請求項６】前記コンテンツは、
前記名刺の配布者の個人情報を提供するものであることを特徴とする請求項５記載の情報取得システムのプログラム。
【発明の詳細な説明】
【０００１】
【発明の属する技術分野】
本発明は、情報取得システム、その方法及びそのプログラムに関し、特にＩＣタグを貼付した名刺を用いての様々なビジネスシーンにおける利用付加価値を向上する情報取得システム、その方法及びそのプログラムである。
【０００２】
【従来の技術】
通常、ビジネスの始まりは名刺交換であり、ビジネスの基本とされている。ところが、実際に配布される名刺の多くは、肩書き、名前、住所、電話番号、メールアドレス、といった情報が限られた紙片のスペース（約９ｃｍ×約５ｃｍ）に書き込まれているのみであり、特に興味を引くものでなく、後にファイルされて利用価値のないものとさえなっているという現状がある。
【０００３】
【発明が解決しようとする課題】
最近では、印刷技術の発達により、カラー印刷の名刺や顔写真入りの名刺等のように、従来のものよりも一風変わった嗜好の名刺が世に出回るようになってきているという現実はあるが、未だ従来の名刺機能を脱却できないという問題点があった。
【０００４】
また、そのデザイン性を鑑みると、限られたスペースが故に表示可能な情報量が制限されてしまうという問題点と共に、一旦名刺に印刷された情報は書き換えが即座に出来ないという問題点があった。
【０００５】
さらに、昨今のデジタルデータ化の流れを汲んで、電子メールに自分の住所や連絡先などの個人情報を添付する形で送信相手に知らせる電子名刺という技術も出てきているが、名刺交換の慣習は未だ健在であり、即ビジネスシーンに馴染むというものではないという問題点があった。
【０００６】
最近では、ＲＦＩＤ（Radio Frequency Identification） 技術が注目されている。このＲＦＩＤとは、電波を用いて非接触方式によりデータキャリアを認識する固体認識技術であり、この技術を用いることにより名刺の限られた紙面スペースを大幅に上回るデータ量での情報提供を可能とする。
【０００７】
なお、通常の名刺と上述したＲＦＩＤ技術とが融合した特許文献としては以下のようなものが知られている。
【０００８】
【特許文献１】
特開２００２−１８３６９３号（図１参照）
【０００９】
しかしながら、この特許文献１は、情報を発信する必要が生じた際に、相手の宛先の電話番号の読み取り誤りを防止し、簡易なシステム構成でダイヤル操作の誤りがなく、正確に発信できることを目的としたものであり、単に名刺に記載されている情報を記憶するメモリを具備するに過ぎないものである。
【００１０】
本発明は、上記問題点に鑑みて成されたものであり、ＩＣタグが貼り付けられた名刺を配布された名刺受取人所有のリーダ／ライタ機能を搭載した情報通信端末により、上記ＩＣタグに記憶されているＵＲＬ情報を読み取り、当該ＵＲＬ情報に対応したコンテンツへ自動的にアクセスして、情報を取得することが可能な情報取得システム、その方法及びそのプログラムを提供することを目的とする。
【００１１】
【課題を解決するための手段】
前記課題を解決するために、請求項１記載の発明は、ＵＲＬ情報が記憶されたＩＣタグを貼付した名刺と、前記ＩＣタグに対するリーダ機能を搭載した第１の情報通信端末と、前記ＩＣタグに記憶されているＵＲＬ情報に対応するコンテンツを配信可能なサーバと、前記ＩＣタグに対するリーダ／ライタ機能を搭載した前記名刺の配布者が所有する第２の情報通信端末と、を有して構成され、前記第１の情報通信端末は、前記リーダ機能により前記ＩＣタグに記憶されている前記ＵＲＬ情報を読み出して前記サーバにアクセスし、当該ＵＲＬ情報に対応するコンテンツを取得して表示する機能を具備し、前記第２の情報通信端末は、前記サーバにアクセスして前記コンテンツの作成／更新を行う機能と、前記作成／更新したコンテンツへアクセスするためのＵＲＬ情報を、前記リーダ／ライタ機能により前記ＩＣタグへ書き込む機能と、前記コンテンツの情報公開レベルを前記名刺の受取者毎に任意に設定変更する機能と、を具備することを特徴とする。
【００１２】
請求項２記載の発明は、請求項１記載の発明において、前記コンテンツは、前記名刺の配布者の個人情報を提供するものであることを特徴とする。
【００１３】
請求項３記載の発明は、ＵＲＬ情報が記憶されたＩＣタグを貼付した名刺と、前記ＩＣタグに対するリーダ機能を搭載した第１の情報通信端末と、前記ＩＣタグに記憶されているＵＲＬ情報に対応するコンテンツを配信可能なサーバと、前記ＩＣタグに対するリーダ／ライタ機能を搭載した前記名刺の配布者が所有する第２の情報通信端末と、から構成される情報取得システムの方法であって、前記第２の情報通信端末が、前記サーバにアクセスしてコンテンツの作成／更新を行うコンテンツ作成／更新工程と、前記作成／更新したコンテンツへアクセスするためのＵＲＬ情報をリーダ／ライタ機能により前記ＩＣタグへ書き込む書込工程と、前記コンテンツの情報公開レベルを前記名刺の受取者毎に任意に設定変更する公開レベル変更工程と、を有し、前記第１の情報通信端末が、前記リーダ機能により前記ＩＣタグに記憶されているＵＲＬ情報を読み出すＵＲＬ情報読出工程と、前記サーバにアクセスし、前記読み出したＵＲＬ情報に対応するコンテンツを取得する取得工程と、前記取得したコンテンツを表示する表示工程と、を有することを特徴とする。
【００１４】
請求項４記載の発明は、請求項３記載の発明において、前記コンテンツは、前記名刺の配布者の個人情報を提供するものであることを特徴とする。
【００１５】
請求項５記載の発明は、ＵＲＬ情報が記憶されたＩＣタグを貼付した名刺と、前記ＩＣタグに対するリーダ機能を搭載した第１の情報通信端末と、前記ＩＣタグに記憶されているＵＲＬ情報に対応するコンテンツを配信可能なサーバと、前記名刺の配布者が所有する前記ＩＣタグに対するリーダ／ライタ機能を搭載した第２の情報通信端末と、から構成される情報取得システムのプログラムであって、前記第２の情報通信端末に、前記サーバにアクセスしてコンテンツの作成／更新を行うコンテンツ作成／更新処理と、前記作成／更新したコンテンツへアクセスするためのＵＲＬ情報をリーダ／ライタ機能により前記ＩＣタグへ書き込む書込処理と、前記コンテンツの情報公開レベルを前記名刺の受取者毎に任意に設定変更する公開レベル変更処理と、を実行させ、前記第１の情報通信端末に、前記リーダ機能により前記ＩＣタグに記憶されているＵＲＬ情報を読み出すＵＲＬ情報読出処理と、前記サーバにアクセスし、前記読み出したＵＲＬ情報に対応するコンテンツを取得する取得処理と、前記取得したコンテンツを表示する表示処理と、を実行させることを特徴とする。
【００１６】
請求項６記載の発明は、請求項５記載の発明において、前記コンテンツは、前記名刺の配布者の個人情報を提供するものであることを特徴とする。
【００１７】
【発明の実施の形態】
以下、添付図面を参照しながら本発明の実施形態である情報取得システム、その方法及びそのプログラムを詳細に説明する。図１から図９に、本発明に係る情報取得システム、その方法及びそのプログラムの実施の形態を示す。
【００１８】
＜第１の実施の形態＞
図１は、本発明の第１の実施形態である情報取得システムの概略を示すシステム構成図である。図１において、本発明の第１の実施形態である情報取得システムは、情報通信端末１０と、非接触方式のＩＣタグが貼付された名刺２０と、コンテンツ管理サーバ３０と、を有して構成される。なお、情報通信端末１０とコンテンツ管理サーバ３０とは、インターネット網１００を介して通信可能な構成となっている。
【００１９】
情報通信端末１０は、通常の送受信機能を備える携帯電話機（ＰＨＳ、ＰＤＡを含む）であり、表示部や操作部を備えている。この情報通信端末１０は、後述の名刺２０が配布されたユーザ（以下、名刺受取者と称す）が保有する端末であり、インターネット網１００を介してシステムサーバ３０にアクセス可能な環境下にある。
【００２０】
さらに、この情報通信端末１０は、名刺２０に貼付されたＩＣタグ２１に記憶される情報の読み取り（リーダ）を行うリーダ機能を搭載している。
なお、リーダ機能のみならず、ライタ機能も併せ持ってよく、また、これらの機能は、情報通信端末１０に内蔵される構成でも、外付けされる構成としてもよい。
【００２１】
名刺２０は、ビジネスシーンで用いられる通常の名刺であり、会社名や所属部署名、役職名、氏名、住所、電話番号、ＦＡＸ番号、電子メールアドレスなどが印刷されている。この名刺２０の一部には、ＩＣタグ（ＩＣシールとも称す）２１が貼り付けられている。
【００２２】
ＩＣタグ２１は、特定の周波数帯域の無線電波を受信することにより動作するものであり、予め製造段階で重複することのない識別番号（シリアル番号）が付与されており、記録媒体としての機能を具備する。このＩＣタグ２１は、ＣＰＵ２１１と、ＲＯＭ２１２と、ＲＡＭ２１３と、ＥＥＰＲＯＭ２１４と、コプロ（コプロセッサ）２１５と、Ｉ／Ｆ（インタフェース）２１６と、がＩＣチップとして形成され、その周縁を囲むようにアンテナ（ループアンテナ）２１７が配設されて構成される。
なお、ＩＣタグ２１の形状は、特に限定されるものでなく、上述したような構成を備えるものであればよい。
【００２３】
コンテンツ管理サーバ３０は、ネットワーク配信用のコンテンツを管理するサーバであり、情報通信端末１とインターネット網１００を介して通信を行う。なお、このコンテンツ管理サーバ３０は、複数のコンテンツデータを管理すると共に、各コンテンツへのアクセス履歴やアクセス頻度などの情報を管理するためのデータベースを具備している。また、アクセス履歴やアクセス頻度に基づいて、閲覧者の一覧データを自動的に生成し、保管している。
【００２４】
図２は、本発明の第１の実施形態である情報取得システムの動作例を示すシーケンスチャートである。まず、名刺２０を受け取った名刺取得者Ａは、当該名刺２０に貼付されているＩＣタグ２１上に自身が保有する情報通信端末１０（ＩＣタグ読取モードの動作指示有り）をかざすと、リーダ機能によりＩＣタグ２１に対してＵＲＬ情報の読み出し要求を送信する（ステップＳ１）。
【００２５】
ＩＣタグ２１は、情報通信端末１０からのＵＲＬ情報の読み出し要求に対して、記憶されているＵＲＬ情報を送信する（ステップＳ２）。
【００２６】
情報通信端末１０は、アプリケーションプログラムを自動的に起動し（ステップＳ３）、ＩＣタグ２１から取得したＵＲＬ情報に基づいてコンテンツ管理サーバ３０へインターネット網１００を介してアクセスする（ステップＳ４）。
なお、アプリケーションプログラムは、予め情報通信端末１０が搭載していても、システム利用時にコンテンツ管理サーバ３０からダウンロードするようにしてもよい。
【００２７】
コンテンツ管理サーバ３０は、情報通信端末１０からのアクセスに対し、送信されたＵＲＬ情報に対応するコンテンツ（Ｗｅｂページ）を送信する（ステップＳ５）。
【００２８】
情報通信端末１０は、コンテンツ管理サーバ３０から送信されたＷｅｂページを表示する（ステップＳ６）。
【００２９】
本発明の第１の実施形態によれば、名刺受取者Ａが所有する情報通信端末により、受け取った名刺に貼付されているＩＣタグの情報を読み取るだけで、当該ＩＣタグに予め記憶されているＵＲＬ情報に対応するコンテンツ（Ｗｅｂページ）を取得することができ、容易にその内容を確認することができる。
【００３０】
＜第２の実施の形態＞
図３は、本発明の第２の実施形態である情報取得システムの概略を示すシステム構成図である。図３において、本発明の第２の実施形態である情報取得システムは、名刺受取者Ａが所有する情報通信端末１０と、非接触方式のＩＣタグが貼付された名刺２０と、コンテンツ管理サーバ３０と、名刺配布者Ｂが所有する情報通信端末４０と、を有して構成される。なお、情報通信端末１０と情報通信端末４０とコンテンツ管理サーバ３０とは、インターネット網１００を介して通信可能な構成となっている。
【００３１】
本発明の第２の実施形態は、名刺配布者Ｂが個人のホームページ（Ｗｅｂページ）を立ち上げると共に、その内容を随時更新することが可能なものである。なお、上述した第１の実施形態と同一構成要素に関しては、同一符号を付してその説明を省略する。
【００３２】
情報通信端末４０は、通常の送受信機能を備える携帯電話機（ＰＨＳ、ＰＤＡを含む）であり、表示部や操作部を備えている。この情報通信端末４０は、名刺２０の配布者（名刺配布者Ｂ）が保有する端末であり、インターネット網１００を介してシステムサーバ３０にアクセス可能な環境下にある。
【００３３】
さらに、この情報通信端末４０は、名刺２０に貼付されたＩＣタグ２１に記憶される情報の読み取り（リーダ）及び当該ＩＣタグ２１への情報の書き込み（ライタ）を行うリーダ／ライタ機能を搭載している。なお、リーダ／ライタ機能は、上述した情報通信端末１０と同様に、内蔵型としても外付け型としてもよく、また、同時に複数のＩＣタグ２１への書き込みも可能である。
【００３４】
図４は、本発明の第２の実施形態において、個人情報のホームページ作成からＩＣタグへのＵＲＬ情報の書き込みの動作例を示すシーケンスチャートである。
【００３５】
まず、名刺配布者Ｂが所有する情報通信端末４０は、コンテンツ管理サーバ３０に対してインターネット網１００を介してアクセスし、システム利用に関する専用のアプリケーションプログラムのダウンロード要求を送信する（ステップＳ１１）。
【００３６】
コンテンツ管理サーバ３０は、情報通信端末４０からのダウンロード要求に対して、所定のシステム利用登録手続きを行った後、会員ＩＤと個人ＵＲＬを送信する（ステップＳ１２）。
【００３７】
情報通信端末４０は、コンテンツ管理サーバ３０から会員ＩＤ及び個人ＵＲＬを送信されると、名刺配布者Ｂ個人のホームページ（Ｗｅｂページ）を立ち上げるため、ホームページの情報登録処理を行う（ステップＳ１３）。
【００３８】
図５は、ホームページの情報登録に用いられる情報の一例を示す図である。個人で立ち上げるホームページとしては、個人用のプライベートページと会社用のビジネスページとがあるが、必ずしも１つに限る必要はなく、１人が複数のホームページを登録することも可能である。図５に示す情報では、□が必須入力項目として定められ、■は任意の入力項目としているが、これらは何れも選択的に指定することが可能である。
【００３９】
なお、これらの情報は、一定の入力フォームが予めコンテンツ管理サーバ３０により提供されているので、情報登録側となる名刺配布者Ｂは、図６に示すような情報通信端末４０の操作部を用いて簡単な入力処理を行うのみである。
【００４０】
ステップＳ１３において、上述したようなホームページ情報を送信されたコンテンツ管理サーバ３０は、ホームページ作成用のプログラムを自動起動し、名刺配布者Ｂのホームページを自動生成後（ステップＳ１４）、ホームページの登録完了を情報通信端末４０に通知する（ステップＳ１５）。
なお、登録が完了したホームページの情報は、情報通信端末４０のメモリに記録保管され、何時でも確認することができる。
【００４１】
情報通信端末４０は、コンテンツ管理サーバ３０からホームページの登録完了通知を受信すると、名刺配布者ＢによりＩＣタグへの書き込みモードが起動され（ステップＳ１６）、リーダ／ライタ機能により近隣に配置されたＩＣタグ２１に対して会員ＩＤ及び上記立ち上げたホームページのＵＲＬ情報の書き込み処理を行う（ステップＳ１７）。
【００４２】
ＩＣタグ２１は、情報通信端末４０による書き込み処理が完了すると、書き込み完了通知を送信する（ステップＳ１８）。
【００４３】
情報通信端末４０は、ＩＣタグ２１から送信される書き込み完了通知を確認することにより、会員ＩＤ及びＵＲＬ情報がＩＣタグ２１に確実に書き込まれたことを検証することができる。
【００４４】
なお、ホームページ更新時には、情報通信端末４０からコンテンツ管理サーバ３０にアクセスして、氏名や会員ＩＤ、ＵＲＬ情報などを送信し、図７に示すような選択画面から修正項目を選択後、所定の修正フォームに修正事項を入力して送信する。コンテンツ管理サーバ３０側では、修正された内容により自動的に最新のデータへとアップデータされるので、簡単に更新することができる。
【００４５】
本発明の第２の実施形態によれば、名刺配布者Ｂの会員ＩＤ及び当該名刺配布者Ｂにより立ち上げられたホームページのＵＲＬ情報が書き込まれたＩＣタグの貼付された名刺を受け取った名刺受取者Ａは、上述した第１の実施形態の動作例と同様に情報通信端末１０を用いてコンテンツ管理サーバ３０へアクセスし、名刺配布者Ｂのホームページの情報を容易に確認することができる。
なお、このようなサービスは、名刺配布者Ｂがコンテンツ管理サーバ３０の管理者に対して月額利用料金を支払うことで利用することができる。
【００４６】
＜第３の実施形態＞
本発明の第３の実施形態は、コンテンツ管理サーバ３０のデータベース内に保管されている閲覧者一覧に基づいて、名刺配布者Ｂの個人情報ホームページ（プライベートデータ）における情報公開レベルを任意に設定変更するものである。
【００４７】
図８は、情報公開レベルを３段階で設定した場合の具体例を示す図である。図８に示すように、プライベートデータにおいては、個人情報、即ち秘密を公開する場としても利用される可能があるので、簡単にプライバシーを侵害されてしまうという危険性がある。
【００４８】
そこで、本発明の第３の実施形態では、対人関係を以下の３つのレベルに分類して、情報公開レベルを名刺配布者が情報通信端末から任意に設定変更することができるような仕組みとしている。
情報公開レベル１（□）      初対面レベル
情報公開レベル２（○）      友達レベル
情報公開レベル３（◎）      彼氏、彼女、親友、家族レベル
【００４９】
なお、一旦設定した情報公開レベルは、適宜設定変更可能であり、関係の深い浅いにより閲覧者毎に設定することができる。また、一切個人情報を公開したくない場合、あるいは、掲示板への書き込みが不適切である場合には、情報通信端末からコンテンツ管理サーバにアクセスし、特定の閲覧者からのアクセスを拒否したり、閲覧者（掲示板への書き込み者）を削除したりすることも可能である。
【００５０】
また、ビジネスデータの場合には、基本的に公開されても問題のない情報なので特に情報公開レベルを設定する必要はないが、任意に行ってもよく、掲示板ページへの不適切な書き込みなどを行う閲覧者は、上述の方法により削除することが可能である。
【００５１】
図９は、アクセス拒否／公開レベル設定の画面例を示す図である。図９（ａ）には、データベースに保管されている閲覧者一覧表が示されており、この画面上で「削除（アクセス拒否）」、「レベル変更」といった設定を変更することができる。この設定により削除された場合、削除又はレベル変更された閲覧者からのアクセス時に、図９（ｂ）に示すような削除報告画面、又は、図９（ｃ）に示すようなレベル変更通知画面が表示される。
【００５２】
本発明の第３の実施形態によれば、個人情報の公開レベルを閲覧者毎に任意に設定変更することができるので、初対面や信頼関係の構築されていない人物に対しての公開レベルを低く設定することにより、プライバシーの侵害を未然に防止することができる。
【００５３】
なお、上述した各実施形態は本発明の好適な実施形態であり、本発明の主旨を逸脱しない範囲内において種々変形して実施することが可能であり、ＩＣタグを用いずにＵＲＬ情報を名刺に印刷しておくといった方式でもよい。
【００５４】
また、本システムの利用登録を行った会員に対して、コンテンツ管理サーバ側で独自に運営しているＷｅｂページ上で会員同士の相性占いなどのサービス、データベースで管理している閲覧者一覧のデータに基づく住所録作成サービス、さらには閲覧者一覧から任意に指定したメールアドレスへの一斉通知サービス、といった付加サービスを適宜設けることも可能である。
【００５５】
さらに、本発明は、プライベートシーンでもビジネスシーンでも利用することができるサービスであり、一般的に名刺と称されるビジネスカードに限らず、宣伝広告用のパンフレットなどに予め開設したホームページのＵＲＬ情報を記憶したＩＣタグを貼付して配布するといったことも可能である。
【００５６】
【発明の効果】
以上の説明より明らかなように、本発明によれば、従来の名刺の機能を脱却した新たな付加価値サービスを提供することにより、以下のような効果を奏することができる。
【００５７】
本発明によれば、名刺受取者が所有する情報通信端末により、受け取った名刺に貼付されているＩＣタグの情報を読み取るだけで、当該ＩＣタグに予め記憶されているＵＲＬ情報に対応するＷｅｂページ情報を取得することができ、容易にその内容を確認することができる。
【００５８】
また、本発明によれば、名刺配布者のホームページのＵＲＬ情報が書き込まれたＩＣタグが貼付された名刺を受け取った名刺受取者は、情報通信端末を用いてコンテンツ管理サーバへアクセスし、名刺配布者のホームページの情報を容易に確認することができると共に、名刺配布者はホームページの内容を自身が所有する情報通信端末から容易に更新することができる。
【００５９】
さらに、本発明によれば、名刺配布者により個人情報の公開レベルを閲覧者毎に任意に設定変更することができるので、初対面や信頼関係の構築されていない人物に対しての公開レベルを低く設定することにより、プライバシーの侵害を未然に防止することができる。
【図面の簡単な説明】
【図１】本発明の第１の実施形態である情報取得システムの概略を示すシステム構成図である。
【図２】本発明の第１の実施形態である情報取得システムの動作例を示すシーケンスチャートである
【図３】本発明の第２の実施形態である情報取得システムの概略を示すシステム構成図である。
【図４】本発明の第２の実施形態である情報取得システムの動作例を示すシーケンスチャートである。
【図５】ホームページの情報登録に用いられる情報の一例を示す図である。
【図６】ホームページの情報登録画面の一例を示す図である。
【図７】ホームページ更新時における修正事項の選択画面の一例を示す図である。
【図８】情報公開レベルを３段階で設定した場合の具体例を示す図である。
【図９】アクセス拒否／公開レベル設定の画面例を示す図である。
【符号の説明】
１０  情報通信端末
２０  名刺
２１  ＩＣタグ
３０  コンテンツ管理サーバ
４０  情報通信端末
１００  インターネット網




【手続補正書】
【提出日】平成16年4月2日(2004.4.2)
【手続補正１】
【補正対象書類名】明細書
【補正対象項目名】特許請求の範囲
【補正方法】変更
【補正の内容】
【特許請求の範囲】
【請求項１】
ＵＲＬ情報が記憶されたＩＣタグを貼付した名刺と、前記ＩＣタグに対するリーダ機能を搭載した第１の情報通信端末と、前記ＩＣタグに記憶されているＵＲＬ情報に対応するコンテンツを配信可能なサーバと、前記ＩＣタグに対するリーダ／ライタ機能を搭載した前記名刺の配布者が所有する第２の情報通信端末と、を有して構成され、
前記第１の情報通信端末は、
前記リーダ機能により前記ＩＣタグに記憶されている前記ＵＲＬ情報を読み出して前記サーバにアクセスし、当該ＵＲＬ情報に対応するコンテンツを取得して表示する機能を具備し、
前記第２の情報通信端末は、
前記サーバにアクセスして前記コンテンツの作成／更新を行う機能と、
前記作成／更新したコンテンツへアクセスするためのＵＲＬ情報を、前記リーダ／ライタ機能により複数のＩＣタグへ同時に書き込む機能と、
前記コンテンツの情報公開レベルを前記名刺の受取者毎に任意に設定変更する機能と、
を具備することを特徴とする情報取得システム。
【請求項２】
前記コンテンツは、
前記名刺の配布者の個人情報を提供するものであることを特徴とする請求項１に記載の情報取得システム。
【請求項３】
ＵＲＬ情報が記憶されたＩＣタグを貼付した名刺と、前記ＩＣタグに対するリーダ機能を搭載した第１の情報通信端末と、前記ＩＣタグに記憶されているＵＲＬ情報に対応するコンテンツを配信可能なサーバと、前記ＩＣタグに対するリーダ／ライタ機能を搭載した前記名刺の配布者が所有する第２の情報通信端末と、から構成される情報取得システムの方法であって、
前記第２の情報通信端末が、
前記サーバにアクセスしてコンテンツの作成／更新を行うコンテンツ作成／更新工程と、
前記作成／更新したコンテンツへアクセスするためのＵＲＬ情報をリーダ／ライタ機能により複数のＩＣタグへ同時に書き込む書込工程と、
前記コンテンツの情報公開レベルを前記名刺の受取者毎に任意に設定変更する公開レベル変更工程と、を有し、
前記第１の情報通信端末が、
前記リーダ機能により前記ＩＣタグに記憶されているＵＲＬ情報を読み出すＵＲＬ情報読出工程と、
前記サーバにアクセスし、前記読み出したＵＲＬ情報に対応するコンテンツを取得する取得工程と、
前記取得したコンテンツを表示する表示工程と、
を有することを特徴とする情報取得システムの方法。
【請求項４】
前記コンテンツは、
前記名刺の配布者の個人情報を提供するものであることを特徴とする請求項３記載の情報取得システムの方法。
【請求項５】
ＵＲＬ情報が記憶されたＩＣタグを貼付した名刺と、前記ＩＣタグに対するリーダ機能を搭載した第１の情報通信端末と、前記ＩＣタグに記憶されているＵＲＬ情報に対応するコンテンツを配信可能なサーバと、前記名刺の配布者が所有する前記ＩＣタグに対するリーダ／ライタ機能を搭載した第２の情報通信端末と、から構成される情報取得システムのプログラムであって、
前記第２の情報通信端末に、
前記サーバにアクセスしてコンテンツの作成／更新を行うコンテンツ作成／更新処理と、
前記作成／更新したコンテンツへアクセスするためのＵＲＬ情報をリーダ／ライタ機能により複数のＩＣタグへ同時に書き込む書込処理と、
前記コンテンツの情報公開レベルを前記名刺の受取者毎に任意に設定変更する公開レベル変更処理と、を実行させ、
前記第１の情報通信端末に、
前記リーダ機能により前記ＩＣタグに記憶されているＵＲＬ情報を読み出すＵＲＬ情報読出処理と、
前記サーバにアクセスし、前記読み出したＵＲＬ情報に対応するコンテンツを取得する取得処理と、
前記取得したコンテンツを表示する表示処理と、
を実行させることを特徴とする情報取得システムのプログラム。
【請求項６】
前記コンテンツは、
前記名刺の配布者の個人情報を提供するものであることを特徴とする請求項５記載の情報取得システムのプログラム。
【手続補正２】
【補正対象書類名】明細書
【補正対象項目名】００１１
【補正方法】変更
【補正の内容】
【００１１】
【課題を解決するための手段】
前記課題を解決するために、請求項１記載の発明は、ＵＲＬ情報が記憶されたＩＣタグを貼付した名刺と、前記ＩＣタグに対するリーダ機能を搭載した第１の情報通信端末と、前記ＩＣタグに記憶されているＵＲＬ情報に対応するコンテンツを配信可能なサーバと、前記ＩＣタグに対するリーダ／ライタ機能を搭載した前記名刺の配布者が所有する第２の情報通信端末と、を有して構成され、前記第１の情報通信端末は、前記リーダ機能により前記ＩＣタグに記憶されている前記ＵＲＬ情報を読み出して前記サーバにアクセスし、当該ＵＲＬ情報に対応するコンテンツを取得して表示する機能を具備し、前記第２の情報通信端末は、前記サーバにアクセスして前記コンテンツの作成／更新を行う機能と、前記作成／更新したコンテンツへアクセスするためのＵＲＬ情報を、前記リーダ／ライタ機能により複数のＩＣタグへ同時に書き込む機能と、前記コンテンツの情報公開レベルを前記名刺の受取者毎に任意に設定変更する機能と、を具備することを特徴とする。


【手続補正３】
【補正対象書類名】明細書
【補正対象項目名】００１３
【補正方法】変更
【補正の内容】
【００１３】
請求項３記載の発明は、ＵＲＬ情報が記憶されたＩＣタグを貼付した名刺と、前記ＩＣタグに対するリーダ機能を搭載した第１の情報通信端末と、前記ＩＣタグに記憶されているＵＲＬ情報に対応するコンテンツを配信可能なサーバと、前記ＩＣタグに対するリーダ／ライタ機能を搭載した前記名刺の配布者が所有する第２の情報通信端末と、から構成される情報取得システムの方法であって、前記第２の情報通信端末が、前記サーバにアクセスしてコンテンツの作成／更新を行うコンテンツ作成／更新工程と、前記作成／更新したコンテンツへアクセスするためのＵＲＬ情報をリーダ／ライタ機能により複数のＩＣタグへ同時に書き込む書込工程と、前記コンテンツの情報公開レベルを前記名刺の受取者毎に任意に設定変更する公開レベル変更工程と、を有し、前記第１の情報通信端末が、前記リーダ機能により前記ＩＣタグに記憶されているＵＲＬ情報を読み出すＵＲＬ情報読出工程と、前記サーバにアクセスし、前記読み出したＵＲＬ情報に対応するコンテンツを取得する取得工程と、前記取得したコンテンツを表示する表示工程と、を有することを特徴とする。


【手続補正４】
【補正対象書類名】明細書
【補正対象項目名】００１５
【補正方法】変更
【補正の内容】
【００１５】
請求項５記載の発明は、ＵＲＬ情報が記憶されたＩＣタグを貼付した名刺と、前記ＩＣタグに対するリーダ機能を搭載した第１の情報通信端末と、前記ＩＣタグに記憶されているＵＲＬ情報に対応するコンテンツを配信可能なサーバと、前記名刺の配布者が所有する前記ＩＣタグに対するリーダ／ライタ機能を搭載した第２の情報通信端末と、から構成される情報取得システムのプログラムであって、前記第２の情報通信端末に、前記サーバにアクセスしてコンテンツの作成／更新を行うコンテンツ作成／更新処理と、前記作成／更新したコンテンツへアクセスするためのＵＲＬ情報をリーダ／ライタ機能により複数のＩＣタグへ同時に書き込む書込処理と、前記コンテンツの情報公開レベルを前記名刺の受取者毎に任意に設定変更する公開レベル変更処理と、を実行させ、前記第１の情報通信端末に、前記リーダ機能により前記ＩＣタグに記憶されているＵＲＬ情報を読み出すＵＲＬ情報読出処理と、前記サーバにアクセスし、前記読み出したＵＲＬ情報に対応するコンテンツを取得する取得処理と、前記取得したコンテンツを表示する表示処理と、を実行させることを特徴とする。